(57)【要約】【課題】本発明は、ワイドアダプター等の補助光学部材を備えた電子閃光装置に関し、非常に簡易な構造でありながら、補助光学部材の装置本体からの引き出し時に、補助光学部材を発光窓に確実に押圧することを目的とする。【解決手段】  装置本体に発光部を配置するとともに、装置本体に形成される収納室内に、収納室内からの引き出しにより発光部の発光窓を覆う補助光学部材を挿抜自在に配置してなる電子閃光装置において、補助光学部材の引き出し時に補助光学部材を発光窓を覆う位置に案内する案内手段と、収納室からの補助光学部材の引き出し時に補助光学部材を発光窓に向けて付勢する付勢手段とを備えてなり、案内手段は、補助光学部材の後端部の両側に側方に向けて突出して形成される回動軸と、収納室の開口部の両側に形成され回動軸を回動自在に案内する案内部とを備えてなることを特徴とする。【選択図】      図１
2007249228.tif 000002
【特許請求の範囲】
【請求項１】
装置本体に発光部を配置するとともに、前記装置本体に形成される収納室内に、前記収納室内からの引き出しにより前記発光部の発光窓を覆う補助光学部材を挿抜自在に配置してなる電子閃光装置において、
前記補助光学部材の引き出し時に前記補助光学部材を前記発光窓を覆う位置に案内する案内手段と、
前記収納室からの前記補助光学部材の引き出し時に前記補助光学部材を前記発光窓に向けて付勢する付勢手段とを備えてなり、
前記案内手段は、
前記補助光学部材の後端部の両側に側方に向けて突出して形成される回動軸と、
前記収納室の開口部の両側に形成され前記回動軸を回動自在に案内する案内部とを備え、
前記付勢手段は、
バネ線材を折曲して形成された一対の支持部を含む本体部と、
前記一対の支持部の先端から側方に向けて突出して形成され、前記補助光学部材の後端部に回動自在に支持されるコイルバネ部と、
前記コイルバネ部の先端から突出して形成され、前記補助光学部材に形成される係止溝に係止される係止部と、
を備えたバネ部材からなることを特徴とする電子閃光装置。
【請求項２】
装置本体に発光部を配置するとともに、前記装置本体に形成される収納室内に、前記収納室内からの引き出しにより前記発光部の発光窓を覆う補助光学部材を挿抜自在に配置してなる電子閃光装置において、
前記補助光学部材の引き出し時に前記補助光学部材を前記発光窓を覆う位置に案内する案内手段と、
前記収納室からの前記補助光学部材の引き出し時に前記補助光学部材を前記発光窓に向けて付勢する付勢手段とを備えてなり、
前記案内手段は、
前記補助光学部材の後端部の両側に側方に向けて突出して形成される回動軸と、
前記収納室の開口部の両側に形成され前記回動軸を回動自在に案内する案内部とを備え、
前記付勢手段は、
バネ線材を折曲して形成された一対の支持部を含む本体部と、
前記一方の支持部の先端から他方の支持部側に向けて突出して形成され、前記他方の支持部の先端に形成される折曲部が挿入されるコイルバネ部と、
前記コイルバネ部の先端から突出して形成され、前記補助光学部材に形成される係止溝に係止される係止部と、
を備えたバネ部材と、
前記バネ部材の前記コイルバネ部に挿通され前記バネ部材を前記補助光学部材に回動自在に支持する支持部材と、
を有することを特徴とする電子閃光装置。
【請求項３】
装置本体に発光部を配置するとともに、前記装置本体に形成される収納室内に、前記収納室内からの引き出しにより前記発光部の発光窓を覆う補助光学部材を挿抜自在に配置してなる電子閃光装置において、
前記補助光学部材の引き出し時に前記補助光学部材を前記発光窓を覆う位置に案内する案内手段と、
前記収納室からの前記補助光学部材の引き出し時に前記補助光学部材を前記発光窓に向けて付勢する付勢手段とを備えてなり、
前記案内手段は、
前記補助光学部材の後端部の両側に側方に向けて突出して形成される回動軸と、
前記収納室の開口部の両側に形成され前記回動軸を回動自在に案内する案内部とを備え、
前記付勢手段は、
バネ線材を折曲して形成された一対の支持部を含む本体部と、
前記一方の支持部の先端から他方の支持部側に向けて突出して形成されるコイルバネ部と、
前記コイルバネ部の先端から突出して形成され、前記補助光学部材に形成される係止溝に係止される係止部と、
前記他方の支持部の先端から前記コイルバネ部を挿通して形成され、コイルバネ部の両側を前記補助光学部材に回動自在に支持される挿通部と、
を備えたバネ部材からなることを特徴とする電子閃光装置。
【請求項４】
装置本体に発光部を配置するとともに、前記装置本体に形成される収納室内に、前記収納室内からの引き出しにより前記発光部の発光窓を覆う補助光学部材を挿抜自在に配置してなる電子閃光装置において、
前記補助光学部材の引き出し時に前記補助光学部材を前記発光窓を覆う位置に案内する案内手段と、
前記収納室からの前記補助光学部材の引き出し時に前記補助光学部材を前記発光窓に向けて付勢する付勢手段とを備えてなり、
前記案内手段は、
前記補助光学部材の後端部の両側に側方に向けて突出して形成される回動軸と、
前記収納室の開口部の両側に形成され前記回動軸を回動自在に案内する案内部とを備え
、
前記付勢手段は、
バネ線材を折曲して形成された一対の支持部を含む本体部と、
前記一対の支持部の先端から外側側方に向けて突出して形成され、前記補助光学部材に形成される切欠溝の対向側面に回動自在に支持される突出部と、
を備えたバネ部材と、
前記切欠溝の対向側面に形成され、前記切欠溝の底面から開口側に内側に向けて傾斜して突出される付勢部と、
を有することを特徴とする電子閃光装置。
【請求項５】
請求項１ないし４のいずれか１項記載の電子閃光装置において、
前記収納室の奥側に、前記バネ部材の前記本体部を係止する係止突起を形成してなることを特徴とする電子閃光装置。
【請求項６】
請求項４記載の電子閃光装置において、
前記収納室の奥側に、前記バネ部材の前記本体部を係止する係止突起を形成するとともに、前記係止突起の前側に前記バネ部材の本体部を前記係止突起に案内する案内突部を形成してなることを特徴とする電子閃光装置。
【発明の詳細な説明】
【技術分野】
【０００１】
本発明は、電子閃光装置に係わり、特に、ワイドアダプター等の補助光学部材を備えた電子閃光装置に関する。
【背景技術】
【０００２】
一般に、カメラを使用してフラッシュ撮影を行う際には、カメラの撮影レンズの撮影画角と電子閃光装置の照射角度を合わせる必要がある。
【０００３】
そして、例えば、一眼レフカメラにズームレンズを使用して撮影する場合のように、広角側でレンズ撮影画角が電子閃光装置の照射角度を越える場合には、電子閃光装置の発光部の前面に、照射角度を広くするためのワイドアダプターを装着することが行われている。
【０００４】
従来、このようなワイドアダプターを電子閃光装置内に内蔵して、必要な場面で、電子閃光装置の発光部前面に配置可能にした電子閃光装置として、例えば、特許文献１、特許文献２等に開示されるものが知られている。
【０００５】
図２２および図２３は、特許文献１に開示される電子閃光装置を示すもので、この電子閃光装置では、図２２に示すように、装置本体１内に収容されるワイドアダプター２の両側にクリップ型コイルバネ３が配置されている。
【０００６】
そして、図２３に示すように、装置本体１からのワイドアダプター２の引き出し時に、ワイドアダプター２がクリップ型コイルバネ３により、発光窓４に向けて付勢される。
【０００７】
図２４および図２５は、特許文献２に開示される電子閃光装置を示すもので、この電子閃光装置では、図２４に示すように、装置本体５内に収容されるワイドアダプター６に、保持板７が連結され、この保持板７にコ字状の線細工バネ８が保持されている。
【０００８】
そして、図２５に示すように、装置本体５からのワイドアダプター６の引き出し時に、ワイドアダプター６が線細工バネ８により、発光窓９に向けて付勢される。
【０００９】
なお、符号１０は反射板である。
【特許文献１】実公昭５２−５６４３号公報
【特許文献２】実開平６−２３４５号公報
【発明の開示】
【発明が解決しようとする課題】
【００１０】
しかしながら、特許文献１に開示される電子閃光装置では、装置本体１からのワイドアダプター２の引き出し時に、ワイドアダプター２の角度を９０度変更するために比較的大きなスペースが必要になるという問題があった。
【００１１】
また、ワイドアダプター２の両側にクリップ型コイルバネ３を配置しているため、クリップ型コイルバネ３を収容するために比較的大きなスペースが必要になるという問題があった。
【００１２】
一方、特許文献２に開示される電子閃光装置では、保持板７にコ字状の線細工バネ８を保持しているため、部品点数が増大し構造が複雑になるという問題があった。
【００１３】
本発明は、かかる従来の問題を解決するためになされたもので、非常に簡易な構造でありながら、補助光学部材の装置本体からの引き出し時に、補助光学部材を発光窓に確実に押圧することができる電子閃光装置を提供することを目的とする。
【課題を解決するための手段】
【００１４】
請求項１の電子閃光装置は、装置本体に発光部を配置するとともに、前記装置本体に形成される収納室内に、前記収納室内からの引き出しにより前記発光部の発光窓を覆う補助光学部材を挿抜自在に配置してなる電子閃光装置において、前記補助光学部材の引き出し時に前記補助光学部材を前記発光窓を覆う位置に案内する案内手段と、前記収納室からの前記補助光学部材の引き出し時に前記補助光学部材を前記発光窓に向けて付勢する付勢手段とを備えてなり、前記案内手段は、前記補助光学部材の後端部の両側に側方に向けて突出して形成される回動軸と、前記収納室の開口部の両側に形成され前記回動軸を回動自在に案内する案内部とを備え、前記付勢手段は、バネ線材を折曲して形成された一対の支持部を含む本体部と、前記一対の支持部の先端から側方に向けて突出して形成され、前記補助光学部材の後端部に回動自在に支持されるコイルバネ部と、前記コイルバネ部の先端から突出して形成され、前記補助光学部材に形成される係止溝に係止される係止部とを備えたバネ部材からなることを特徴とする。
【００１５】
請求項２の電子閃光装置は、装置本体に発光部を配置するとともに、前記装置本体に形成される収納室内に、前記収納室内からの引き出しにより前記発光部の発光窓を覆う補助光学部材を挿抜自在に配置してなる電子閃光装置において、前記補助光学部材の引き出し時に前記補助光学部材を前記発光窓を覆う位置に案内する案内手段と、前記収納室からの前記補助光学部材の引き出し時に前記補助光学部材を前記発光窓に向けて付勢する付勢手段とを備えてなり、前記案内手段は、前記補助光学部材の後端部の両側に側方に向けて突出して形成される回動軸と、前記収納室の開口部の両側に形成され前記回動軸を回動自在に案内する案内部とを備え、前記付勢手段は、バネ線材を折曲して形成された一対の支持部を含む本体部と、前記一方の支持部の先端から他方の支持部側に向けて突出して形成され、前記他方の支持部の先端に形成される折曲部が挿入されるコイルバネ部と、前記コイルバネ部の先端から突出して形成され、前記補助光学部材に形成される係止溝に係止される係止部とを備えたバネ部材と、前記バネ部材の前記コイルバネ部に挿通され前記バネ部材を前記補助光学部材に回動自在に支持する支持部材とを有することを特徴とする。
【００１６】
請求項３の電子閃光装置は、装置本体に発光部を配置するとともに、前記装置本体に形成される収納室内に、前記収納室内からの引き出しにより前記発光部の発光窓を覆う補助光学部材を挿抜自在に配置してなる電子閃光装置において、前記補助光学部材の引き出し時に前記補助光学部材を前記発光窓を覆う位置に案内する案内手段と、前記収納室からの前記補助光学部材の引き出し時に前記補助光学部材を前記発光窓に向けて付勢する付勢手段とを備えてなり、前記案内手段は、前記補助光学部材の後端部の両側に側方に向けて突出して形成される回動軸と、前記収納室の開口部の両側に形成され前記回動軸を回動自在に案内する案内部とを備え、前記付勢手段は、バネ線材を折曲して形成された一対の支持部を含む本体部と、前記一方の支持部の先端から他方の支持部側に向けて突出して形成されるコイルバネ部と、前記コイルバネ部の先端から突出して形成され、前記補助光学部材に形成される係止溝に係止される係止部と、前記他方の支持部の先端から前記コイルバネ部を挿通して形成され、コイルバネ部の両側を前記補助光学部材に回動自在に支持される挿通部とを備えたバネ部材からなることを特徴とする。
【００１７】
請求項４の電子閃光装置は、装置本体に発光部を配置するとともに、前記装置本体に形成される収納室内に、前記収納室内からの引き出しにより前記発光部の発光窓を覆う補助光学部材を挿抜自在に配置してなる電子閃光装置において、前記補助光学部材の引き出し時に前記補助光学部材を前記発光窓を覆う位置に案内する案内手段と、前記収納室からの前記補助光学部材の引き出し時に前記補助光学部材を前記発光窓に向けて付勢する付勢手段とを備えてなり、前記案内手段は、前記補助光学部材の後端部の両側に側方に向けて突出して形成される回動軸と、前記収納室の開口部の両側に形成され前記回動軸を回動自在に案内する案内部とを備え、前記付勢手段は、バネ線材を折曲して形成された一対の支持部を含む本体部と、前記一対の支持部の先端から外側側方に向けて突出して形成され、前記補助光学部材に形成される切欠溝の対向側面に回動自在に支持される突出部とを備えたバネ部材と、前記切欠溝の対向側面に形成され、前記切欠溝の底面から開口側に内側に向けて傾斜して突出される付勢部とを有することを特徴とする。
【００１８】
請求項５の電子閃光装置は、請求項１ないし４のいずれか１項記載の電子閃光装置において、前記収納室の奥側に、前記バネ部材の前記本体部を係止する係止突起を形成してなることを特徴とする。
【００１９】
請求項６の電子閃光装置は、請求項４記載の電子閃光装置において、前記収納室の奥側に、前記バネ部材の前記本体部を係止する係止突起を形成するとともに、前記係止突起の前側に前記バネ部材の本体部を前記係止突起に案内する案内突部を形成してなることを特徴とする。
【発明の効果】
【００２０】
請求項１の電子閃光装置では、補助光学部材の引き出し時に補助光学部材を発光窓を覆う位置に案内する案内手段を、補助光学部材の後端部の両側に側方に向けて突出して形成される回動軸と、収納室の開口部の両側に形成され回動軸を回動自在に案内する案内部とにより構成したので、非常に簡易な構造でありながら、補助光学部材の装置本体からの引き出し時に、補助光学部材を発光窓に確実に押圧することができる。
【００２１】
また、付勢手段を、バネ線材を折曲して形成された一対の支持部を含む本体部と、一対の支持部の先端から側方に向けて突出して形成され、補助光学部材の後端部に回動自在に支持されるコイルバネ部と、コイルバネ部の先端から突出して形成され、補助光学部材に形成される係止溝に係止される係止部とを備えたバネ部材により形成したので、付勢手段を、非常に簡易な形状にすることができる。
【００２２】
請求項２の電子閃光装置では、付勢手段を、バネ線材を折曲して形成された一対の支持部を含む本体部と、一方の支持部の先端から他方の支持部側に向けて突出して形成され、他方の支持部の先端に形成される折曲部が挿入されるコイルバネ部と、コイルバネ部の先端から突出して形成され、補助光学部材に形成される係止溝に係止される係止部とを備えたバネ部材と、このバネ部材のコイルバネ部に挿通されバネ部材を補助光学部材に回動自在に支持する支持部材により構成したので、付勢手段を、非常に簡易な形状にすることができる。
【００２３】
請求項３の電子閃光装置では、付勢手段を、バネ線材を折曲して形成された一対の支持部を含む本体部と、一方の支持部の先端から他方の支持部側に向けて突出して形成されるコイルバネ部と、コイルバネ部の先端から突出して形成され、補助光学部材に形成される係止溝に係止される係止部と、他方の支持部の先端からコイルバネ部を挿通して形成され、コイルバネ部の両側を補助光学部材に回動自在に支持される挿通部とを備えたバネ部材により構成したので、付勢手段を、非常に簡易な形状にすることができる。
【００２４】
請求項４の電子閃光装置では、付勢手段を、バネ線材を折曲して形成された一対の支持部を含む本体部と、一対の支持部の先端から外側側方に向けて突出して形成され、補助光学部材に形成される切欠溝の対向側面に回動自在に支持される突出部とを備えたバネ部材と、切欠溝の対向側面に形成され、切欠溝の底面から開口側に内側に向けて傾斜して突出される付勢部とから構成したので、付勢手段を、非常に簡易な形状にすることができる。
【００２５】
請求項５の電子閃光装置では、収納室の奥側に、バネ部材の本体部を係止する係止突起を形成したので、補助光学部材の不使用時に、補助光学部材が収納室から抜け出ることを確実に防止することができる。
【００２６】
請求項６の電子閃光装置では、収納室の奥側に、バネ部材の本体部を係止する係止突起を形成するとともに、係止突起の前側にバネ部材の本体部を係止突起に案内する案内突部を形成したので、バネ部材の連結部を係止突起に確実に案内することが可能になり、補助光学部材の不使用時に、補助光学部材が収納室から抜け出ることを確実に防止することができる。
【発明を実施するための最良の形態】
【００２７】
以下、本発明の実施形態を図面を用いて説明する。
【００２８】
図１および図２は、本発明の電子閃光装置の第１の実施形態の要部を示している。
【００２９】
この実施形態では、図２に示すように、電子閃光装置の装置本体２１の前部に、撮影時に閃光を発光する発光部２３が配置されている。
【００３０】
この発光部２３は、放電管２５と反射部材２７とからなり、放電管２５の前方が発光窓２９により塞がれている。
【００３１】
装置本体２１の上部には、ワイドアダプター３１を収容する扁平状の収納室３３が形成されている。
【００３２】
なお、ワイドアダプター３１は、発光部２３の発光窓２９からの閃光を拡散し、照射角を変更するもので、例えば、透明な板部材の表面にピラミッド形の突部を多数形成したものが使用される。
【００３３】
この実施形態では、図３に示すように、ワイドアダプター３１の後端部の両側には、側方に向けて突出する回動軸３１ａが一体形成されている。
【００３４】
また、ワイドアダプター３１の前端部には、ワイドアダプター３１を収納室３３から引き出すための操作突起３１ｂが一体形成されている。
【００３５】
そして、収納室３３の開口部３３ａの両側には、ワイドアダプター３１の回動軸３１ａを回動自在に案内する案内部３５が形成されている。
【００３６】
この案内部３５は、装置本体２１の側面部２１ａの前部２１ｂに形成され、この前部２１ｂの上部に内側に向けて突出する突出部２１ｃが一体形成されている。
【００３７】
そして、図４に示すように、突出部２１ｃの内面と発光窓２９の前面の延長線との間の空間が、ワイドアダプター３１の回動軸３１ａを回動自在に案内する案内部３５とされている。
【００３８】
ワイドアダプター３１の後端には、図５に示すように、中央の両側に矩形状の切欠溝３１ｃが形成されている。
【００３９】
そして、この切欠溝３１ｃに、付勢手段であるバネ部材３７が結合されている。
【００４０】
このバネ部材３７は、図６および図７に示すように、バネ線材をコ字状に折曲して形成され、連結部３７ａの両側に支持部３７ｂが形成される本体部３７ｃを有している。
【００４１】
一対の支持部３７ｂの先端には、コイルバネ部３７ｄが外側に向けて突出して形成されている。
【００４２】
また、コイルバネ部３７ｄの先端には、係止部３７ｅが突出して形成されている。
【００４３】
一方、ワイドアダプター３１の切欠溝３１ｃには、図８に示すように、切欠溝３１ｃの側面から内側に突出して支持軸３１ｄが一体形成されている。
【００４４】
そして、この支持軸３１ｄが、バネ部材３７のコイルバネ部３７ｄに挿入されている。
【００４５】
また、ワイドアダプター３１の切欠溝３１ｃの底面には、図５に示すように、コイルバネ部３７ｄの先端から突出して形成される係止部３７ｅを係止する係止溝３１ｅが形成されている。
【００４６】
この係止溝３１ｅは、図９に示すように、ワイドアダプター３１の切欠溝３１ｃの底部を、ワイドアダプター３１のバネ部材３７と反対側の面から肉厚の半部まで切り欠いた矩形形状とされている。
【００４７】
そして、この実施形態では、図１に示したように、装置本体２１の収納室３３の奥側には、ワイドアダプター３１の収納時に、ワイドアダプター３１の挿入位置を規制するリブ２１ｄが一体形成されている。
【００４８】
また、バネ部材３７の連結部３７ａを係止する三角形状をした係止突起２１ｅが形成されている。
【００４９】
上述した電子閃光装置では、図５に示したように、バネ部材３７のコイルバネ部３７ｄが、ワイドアダプター３１の後端部に回動自在に支持され、このコイルバネ部３７ｄの先端から突出して形成される係止部３７ｅが、ワイドアダプター３１に形成される係止溝３１ｅに、バネ部材３７とワイドアダプター３１とが鋭角状態になるように係止される。
【００５０】
そして、ワイドアダプター３１の装置本体２１の収納室３３内への収納時には、図２に示したように、バネ部材３７とワイドアダプター３１とが、コイルバネ部３７ｄのバネ力に抗して拡げられ、略直線状態で収納室３３内に収納される。
【００５１】
なお、この収納時には、ワイドアダプター３１の後端がリブ２１ｄに当接され、バネ部材３７の連結部３７ａがバネ力により係止突起２１ｅに係止される。
【００５２】
一方、ワイドアダプター３１を装置本体２１の収納室３３内から引き出すと、図４に示したように、バネ部材３７により、ワイドアダプター３１の後端部の両側に側方に向けて突出して形成される回動軸３１ａが、収納室３３の開口部３３ａの両側に形成される案内部３５に案内されて回動し、ワイドアダプター３１が、発光窓２９に向けて押圧される。
【００５３】
以上のように構成された電子閃光装置では、ワイドアダプター３１の引き出し時にワイドアダプター３１を発光窓２９を覆う位置に案内する案内手段を、ワイドアダプター３１の後端部の両側に側方に向けて突出して形成される回動軸３１ａと、収納室３３の開口部３３ａの両側に形成され回動軸３１ａを回動自在に案内する案内部３５とにより構成したので、非常に簡易な構造でありながら、ワイドアダプター３１の装置本体２１からの引き出し時に、ワイドアダプター３１を発光窓２９に確実に押圧することができる。
【００５４】
また、上述した電子閃光装置では、付勢手段を、バネ線材をコ字状に折曲してなり連結部３７ａの両側に支持部３７ｂが形成される本体部３７ｃと、一対の支持部３７ｂの先端から外側に向けて突出して形成され、ワイドアダプター３１の後端部に回動自在に支持されるコイルバネ部３７ｄと、コイルバネ部３７ｄの先端から突出して形成され、ワイドアダプター３１に形成される係止溝３１ｅに係止される係止部３７ｅとを備えたバネ部材３７により形成したので、付勢手段を、非常に簡易な形状にすることができる。
【００５５】
さらに、上述した電子閃光装置では、収納室３３の奥側に、バネ部材３７の連結部３７ａを係止する係止突起２１ｅを形成したので、ワイドアダプター３１の不使用時に、ワイドアダプター３１が収納室３３から抜け出ることを確実に防止することができる。
【００５６】
また、上述した電子閃光装置では、ワイドアダプター３１とバネ部材３７とが、直線状の状態で収納室３３内に収容されるため、例えば、上述した特許文献１に開示される電子閃光装置に比較して、ワイドアダプター３１とバネ部材３７との収容スペースを小さくすることができる。
【００５７】
そして、例えば、上述した特許文献２に開示される電子閃光装置のように、保持板にコ字状の線細工バネを保持する必要がなくなるため、部品点数を減少し、構造を簡易なものにすることができる。
【００５８】
なお、上述した実施形態では、バネ部材３７に形成される一対のコイルバネ部３７ｄを、支持部３７ｂの先端から外側に向けて突出して形成した例について説明したが、本発明はかかる実施形態に限定されるものではなく、内側に向けて形成しても良く、また、一対のコイルバネ部を同一の方向に向けて突出しても良い。
【００５９】
また、コイルバネ部３７ｄは、密着して巻回形成しても、間隔を置いて巻回形成しても良く、間隔を置いて巻回形成する場合には、縮めた状態で支持軸３１ｄへの装着が可能となるため、支持軸３１ｄへの装着が容易になる。
【００６０】
図１０は、本発明の電子閃光装置の第２の実施形態の要部を示している。
【００６１】
この実施形態では、ワイドアダプター３１の後端には、その中央に矩形状の切欠溝３１ｆが形成されている。
【００６２】
そして、この切欠溝３１ｆに、付勢手段であるバネ部材３９が結合されている。
【００６３】
このバネ部材３９は、図１１および図１２に示すように、バネ線材をコ字状に折曲して形成され、連結部３９ａの両側に支持部３９ｂが形成される本体部３９ｃを有している。
【００６４】
一方の支持部３９ｂの先端には、コイルバネ部３９ｄが他方の支持部３９ｂ側に向けて突出して形成されている。
【００６５】
他方の支持部３９ｂの先端には、コイルバネ部３９ｄに挿入される折曲部３９ｅが形成されている。
【００６６】
コイルバネ部３９ｄの先端には、図１０に示したように、ワイドアダプター３１に形成される係止溝３１ｅに係止される係止部３９ｆが形成されている。
【００６７】
このバネ部材３９は、図１３に示すように、コイルバネ部３９ｄに挿通されるバネ線材からなる支持部材４１により、ワイドアダプター３１の切欠溝３１ｆに回動自在に支持されている。
【００６８】
すなわち、この実施形態では、ワイドアダプター３１の切欠溝３１ｆの両側には、支持部材４１の両側を支持するための保持部３１ｇが形成されている。
【００６９】
この保持部３１ｇは、ワイドアダプター３１の両面に、ワイドアダプター３１の垂直方向からスリット状の溝部３１ｈ，３１ｉを形成することにより形成されている。
【００７０】
そして、ワイドアダプター３１の一面に形成される溝部３１ｈと、他面に形成される溝部３１ｉとは、支持部材４１の長手方向にずれて形成されており、溝部３１ｈ，３１ｉの先方に形成される肉部３１ｊ，３１ｋの間に支持部材４１が保持されている。
【００７１】
また、一方の溝部３１ｉに隣接して支持部材４１の挿入用の溝部３１ｍが形成されている。
【００７２】
そして、この実施形態では、ワイドアダプター３１の切欠溝３１ｆにバネ部材３９を配置した状態で、支持部材４１の挿入用の溝部３１ｍから支持部材４１の先端を一方の保持部３１ｇに挿入し、支持部材４１をバネ部材３９のコイルバネ部３９ｄに挿通し、他方の保持部３１ｇに挿入することによりバネ部材３９が支持される。
【００７３】
なお、この状態では、溝部の側面３１ｐにより支持部材４１の抜けが確実に防止される。
【００７４】
この第２の実施形態の電子閃光装置では、図１０に示したように、バネ部材３９のコイルバネ部３９ｄに挿通される支持部材４１によりバネ部材３９が、ワイドアダプター３１の後端部に回動自在に支持され、このコイルバネ部３９ｄの先端から突出して形成される係止部３９ｆが、ワイドアダプター３１に形成される係止溝３１ｅに、バネ部材３９とワイドアダプター３１とが鋭角状態になるように係止される。
【００７５】
そして、ワイドアダプター３１の装置本体の収納室３３内への収納時には、図１４に示すように、バネ部材３９とワイドアダプター３１とが、コイルバネ部３９ｄのバネ力に抗して拡げられ、略直線状態で収納室３３内に収納される。
【００７６】
一方、ワイドアダプター３１の装置本体からの引き出し時には、バネ部材３９のコイルバネ部３９ｄのバネ力により、ワイドアダプター３１が発光窓２９に向けて確実に押圧される。
【００７７】
そして、この第２の実施形態の電子閃光装置では、付勢手段を、バネ線材をコ字状に折曲してなり連結部３９ａの両側に支持部３９ｂが形成される本体部３９ｃと、一方の支持部３９ｂの先端から他方の支持部３９ｂ側に向けて突出して形成され、他方の支持部３９ｂの先端に形成される折曲部３９ｅが挿入されるコイルバネ部３９ｄと、コイルバネ部３９ｄの先端から突出して形成され、ワイドアダプター３１に形成される係止溝３１ｅに係止される係止部３９ｆとを備えたバネ部材３９と、このバネ部材３９のコイルバネ部３９ｄに挿通されバネ部材３９をワイドアダプター３１に回動自在に支持する支持部材４１により構成したので、付勢手段を、非常に簡易な形状にすることができる。
【００７８】
また、この実施形態では、ワイドアダプター３１の切欠溝３１ｆの両側に形成される保持部３１ｇを、ワイドアダプター３１の両面に、ワイドアダプター３１の垂直方向からスリット状の溝部３１ｈ，３１ｉを形成することにより形成したので、保持部３１ｇを樹脂のモールド成形により容易，確実に形成することができる。
【００７９】
図１５は、本発明の電子閃光装置の第３の実施形態の要部を示している。
【００８０】
この実施形態では、ワイドアダプター３１の後端には、その中央に矩形状の切欠溝３１ｆが形成されている。
【００８１】
そして、この切欠溝３１ｆに、付勢手段であるバネ部材４３が結合されている。
【００８２】
このバネ部材４３は、図１６に示すように、バネ線材をコ字状に折曲して形成され、連結部４３ａの両側に支持部４３ｂが形成される本体部４３ｃを有している。
【００８３】
一方の支持部４３ｂの先端には、コイルバネ部４３ｄが他方の支持部４３ｂ側に向けて突出して形成されている。
【００８４】
他方の支持部４３ｂの先端には、コイルバネ部４３ｄに挿通される挿通部４３ｅが形成されている。
【００８５】
コイルバネ部４３ｄの先端には、図１５に示したように、ワイドアダプター３１に形成される係止溝３１ｅに係止される係止部４３ｆが形成されている。
【００８６】
そして、このバネ部材４３は、図１７に示すように、ワイドアダプター３１の切欠溝３１ｆに回動自在に支持されている。
【００８７】
すなわち、この実施形態では、バネ部材４３のコイルバネ部４３ｄに挿通される挿通部４３ｅにおけるコイルバネ部４３ｄの両側となる部分が、第２の実施形態と同様にして形成される保持部３１ｇに支持されている。
【００８８】
バネ部材４３の挿通部４３ｅの保持部３１ｇへの保持は、バネ部材４３の挿通部４３ｅが形成される側の支持部４３ｂを、図１７に点線で示すように、外側に変形させた状態で、ワイドアダプター３１の切欠溝３１ｆにバネ部材４３のコイルバネ部４３ｄを配置し、挿通部４３ｅの先端を挿入用の溝部３１ｍから一方の保持部３１ｇに挿入し、挿通部４３ｅをバネ部材４３のコイルバネ部４３ｄに挿通し、他方の保持部３１ｇに挿入することにより行われる。
【００８９】
この第３の実施形態の電子閃光装置では、バネ部材４３のコイルバネ部４３ｄに挿通される挿通部４３ｅにおけるコイルバネ部４３ｄの両側となる部分によりバネ部材４３が、ワイドアダプター３１の後端部に回動自在に支持され、コイルバネ部４３ｄの先端から突出して形成される係止部４３ｆが、ワイドアダプター３１に形成される係止溝３１ｅに、バネ部材４３とワイドアダプター３１とが鋭角状態になるように係止される。
【００９０】
そして、ワイドアダプター３１の装置本体の収納室３３内への収納時には、バネ部材４３とワイドアダプター３１とが、コイルバネ部４３ｄのバネ力に抗して拡げられ、略直線状態で収納室３３内に収納される。
【００９１】
一方、ワイドアダプター３１の装置本体からの引き出し時には、バネ部材４３のコイルバネ部４３ｄのバネ力により、ワイドアダプター３１が発光窓２９に向けて確実に押圧される。
【００９２】
上述した電子閃光装置では、付勢手段を、バネ線材をコ字状に折曲してなり連結部４３ａの両側に支持部４３ｂが形成される本体部４３ｃと、一方の支持部４３ｂの先端から他方の支持部４３ｂ側に向けて突出して形成されるコイルバネ部４３ｄと、コイルバネ部４３ｄの先端から突出して形成され、ワイドアダプター３１に形成される係止溝３１ｅに係止される係止部４３ｆと、他方の支持部４３ｂの先端からコイルバネ部４３ｄを挿通して形成され、コイルバネ部４３ｄの両側をワイドアダプター３１に回動自在に支持される挿通部４３ｅとを備えたバネ部材４３により構成したので、付勢手段を、非常に簡易な形状にすることができる。
【００９３】
図１８は、本発明の電子閃光装置の第４の実施形態の要部を示している。
【００９４】
この実施形態では、ワイドアダプター３１の後端には、その中央に矩形状の切欠溝３１ｒが形成されている。
【００９５】
そして、この切欠溝３１ｒに、付勢手段であるバネ部材４５が結合されている。
【００９６】
このバネ部材４５は、図１９に示すように、バネ線材をコ字状に折曲して形成され、連結部４５ａの両側に支持部４５ｂが形成される本体部４５ｃを有している。
【００９７】
そして、一対の支持部４５ｂの先端から外側側方に向けて突出して突出部４５ｄが形成されている。
【００９８】
一方、切欠溝３１ｒの対向する側面の底面側には、バネ部材４５の突出部４５ｄが挿入される係止穴３１ｓが形成されている。
【００９９】
この係止穴３１ｓには、図１９に示したように、バネ部材４５の支持部４５ｂの突出部４５ｄ側を内側に向けて弾性変形させた状態で突出部４５ｄが挿入される。
【０１００】
また、切欠溝３１ｒの対向する側面には、切欠溝３１ｒの底面から開口側に内側に向けて傾斜して突出される傾斜面３１ｔを有する付勢部３１ｕが形成されている。
【０１０１】
さらに、この実施形態では、図２０および図２１に示すように、収納室３３の奥側に形成される係止突起２１ｅの前側に、バネ部材４５の連結部４５ａを係止突起２１ｅに案内する案内突部２１ｆが形成されている。
【０１０２】
この第４の実施形態の電子閃光装置では、一対の支持部４５ｂの先端から外側側方に向けて突出して形成される突出部４５ｄが、バネ部材４５とワイドアダプター３１とが鋭角状態になるように、ワイドアダプター３１の後端部に形成される切欠溝３１ｒの対向する側面に回動自在に支持される。
【０１０３】
そして、ワイドアダプター３１の装置本体の収納室３３内への収納時には、バネ部材４５の支持部４５ｂが、内側に向けて弾性変形しながら、切欠溝３１ｒの底面から開口側に内側に向けて傾斜して突出される付勢部３１ｕを乗り越え、バネ部材４５とワイドアダプター３１とが略直線状態になり、この状態で収納室３３内に収納される。
【０１０４】
一方、ワイドアダプター３１の装置本体からの引き出し時には、付勢部３１ｕの傾斜面３１ｔに弾性状態で当接されるバネ部材４５の一対の支持部４５ｂにより、バネ部材４５とワイドアダプター３１とが鋭角状態になるように付勢され、ワイドアダプター３１が発光窓２９に向けて確実に押圧される。
【０１０５】
すなわち、付勢部３１ｕの傾斜面３１ｔに弾性状態で当接されるバネ部材４５の一対の支持部４５ｂには、開こうとするバネ力が常に作用しており、このバネ力により、バネ部材４５の一対の支持部４５ｂには、傾斜面３１ｔを底面側に滑るような力が作用しており、この力により、バネ部材４５とワイドアダプター３１とが鋭角状態になるように付勢される。
【０１０６】
以上のように構成された電子閃光装置では、付勢手段を、バネ線材をコ字状に折曲してなり連結部４５ａの両側に支持部４５ｂが形成される本体部４５ｃと、一対の支持部４５ｂの先端から外側側方に向けて突出して形成され、ワイドアダプター３１に形成される切欠溝３１ｒの対向する側面に回動自在に支持される突出部４５ｄとを備えたバネ部材４５と、切欠溝３１ｒの対向する側面に形成され、切欠溝３１ｒの底面から開口側に内側に向けて傾斜して突出される付勢部３１ｕとから構成したので、付勢手段を、非常に簡易な形状にすることができる。
【０１０７】
また、上述した電子閃光装置では、収納室３３の奥側に、バネ部材４５の連結部４５ａを係止する係止突起２１ｅを形成するとともに、係止突起２１ｅの前側にバネ部材４５の連結部４５ａを係止突起２１ｅに案内する案内突部２１ｆを形成したので、バネ部材４５の連結部４５ａを係止突起２１ｅに確実に案内することが可能になり、ワイドアダプター３１の不使用時に、ワイドアダプター３１が収納室３３から抜け出ることを確実に防止することができる。
【０１０８】
なお、上述した各実施形態では、ワイドアダプター３１からなる補助光学部材に本発明を適用した例について説明したが、本発明はかかる実施形態に限定されるものではなく、例えば、発光色変換フィルタ、望遠アダプター等の補助光学部材にも適用することができる。
【０１０９】
なお、ここで、望遠アダプターとは、例えば、薄肉のアクリル板をプレスで成形したフレネルレンズを使用し、照射角度を狭めることにより、電子閃光装置のガイドナンバーを高める板状の部材である。
【産業上の利用可能性】
【０１１０】
以上説明したように、本発明は、電子閃光装置などに利用可能な技術である。
【図面の簡単な説明】
【０１１１】
【図１】本発明の電子閃光装置の第１の実施形態の要部を示す斜視図である。
【図２】図１のII-II線に沿う断面図である。
【図３】図１のIII-III線に沿う断面図である。
【図４】図１のワイドアダプターを引き出した状態を示す断面図である。
【図５】図１のワイドアダプターとバネ部材との連結構造を示す斜視図である。
【図６】図１のバネ部材を示す斜視図である。
【図７】図１のバネ部材を示す説明図である。
【図８】図１のワイドアダプターとバネ部材との連結構造を示す上面図である。
【図９】図１のワイドアダプターの切欠溝に形成される係止溝を示す説明図である。
【図１０】本発明の電子閃光装置の第２の実施形態の要部を示す斜視図である。
【図１１】図１０のバネ部材を示す斜視図である。
【図１２】図１０のバネ部材を示す説明図である。
【図１３】図１０のワイドアダプターとバネ部材との連結構造を示す断面図である。
【図１４】図１０のワイドアダプターを収納室内に収容した状態を示す断面図である。
【図１５】本発明の電子閃光装置の第３の実施形態の要部を示す斜視図である。
【図１６】図１５のバネ部材を示す斜視図である。
【図１７】図１５のワイドアダプターとバネ部材との連結構造を示す断面図である。
【図１８】本発明の電子閃光装置の第４の実施形態の要部を示す斜視図である。
【図１９】図１８のワイドアダプターとバネ部材との連結構造を示す断面図である。
【図２０】図１８のワイドアダプターを収納室内に収容した状態を示す断面図である。
【図２１】図１８のワイドアダプターを引き出した状態を示す斜視図である。
【図２２】従来の電子閃光装置の一例を示す説明図である。
【図２３】図２２の電子閃光装置を示す説明図である。
【図２４】従来の電子閃光装置の他の例を示す説明図である。
【図２５】図２４の電子閃光装置を示す説明図である。
【符号の説明】
【０１１２】
２１  装置本体
２１ｅ  係止突起
２１ｆ  案内突部
２３  発光部
２９  発光窓
３１  ワイドアダプター
３１ａ  回動軸
３１ｅ  係止溝
３１ｒ  切欠溝
３１ｕ  付勢部
３３  収納室
３３ａ  開口部
３５  案内部
３７，３９，４３，４５  バネ部材
３７ａ，３９ａ，４３ａ，４５ａ  連結部
３７ｂ，３９ｂ，４３ｂ，４５ｂ  支持部
３７ｃ，３９ｃ，４３ｃ，４５ｃ  本体部
３７ｄ，３９ｄ，４３ｄ  コイルバネ部
３７ｅ，３９ｆ，４３ｆ  係止部
３９ｅ  折曲部
４１  支持部材
【図１】
2007249228.tif 000003
【図２】
2007249228.tif 000004
【図３】
2007249228.tif 000005
【図４】
2007249228.tif 000006
【図５】
2007249228.tif 000007
【図６】
2007249228.tif 000008
【図７】
2007249228.tif 000009
【図８】
2007249228.tif 000010
【図９】
2007249228.tif 000011
【図１０】
2007249228.tif 000012
【図１１】
2007249228.tif 000013
【図１２】
2007249228.tif 000014
【図１３】
2007249228.tif 000015
【図１４】
2007249228.tif 000016
【図１５】
2007249228.tif 000017
【図１６】
2007249228.tif 000018
【図１７】
2007249228.tif 000019
【図１８】
2007249228.tif 000020
【図１９】
2007249228.tif 000021
【図２０】
2007249228.tif 000022
【図２１】
2007249228.tif 000023
【図２２】
2007249228.tif 000024
【図２３】
2007249228.tif 000025
【図２４】
2007249228.tif 000026
【図２５】
2007249228.tif 000027